(57)【要約】      （修正有）【課題】皮革シートに限らず、その他多くの商材から成るシートや、女性のトートバッグ等の皮革表面に、直接オシャレなオリジナル刺繍ができる特殊刺繍枠を提供する。【解決手段】上枠板１の中央に、窓３を設ける。この窓３の周囲に磁石２を配置して固定して設ける。また上枠板１の適当なる位置に刺繍枠金具４を設ける。一方、下枠板６を用意してその中央にも、上枠板１と同様の窓３を設け、同じくこの窓３の周囲にも磁石２を配置して固定して設ける。そしてこの下枠板６と上枠板１の間に、刺繍商材５を置いて該下枠と該上枠を磁石の力で刺繍商材５を挟みこんで密着装着する。【選択図】図１
0003205701.tif 000002
【実用新案登録請求の範囲】
【請求項１】
上枠板（１）の中央に、窓（３）を設け、この窓（３）の周囲に磁石（２）を配置して固定して設け、また上枠板（１）の適当なる位置に、刺繍枠金具（４）を設ける、一方、下枠板（６）を用意してその中央にも、上枠板（１）と同様の窓（３）を設け、同じく、この窓（３）の周囲にも磁石（２）を配置して固定して設ける、そして、この下枠板（６）と上枠板（１）の間に、刺繍商材（５）を置いて、該下枠と該上枠を磁石の力で、強力に刺繍商材（５）を挟みこんで装着してなる、特殊刺繍枠。
【考案の詳細な説明】
【技術分野】
【０００１】  本考案は、皮革シートに限らず、その他多くの商材から成るシートや、女性のトートバッグ等完成品の皮革表面とかに、直接、オシャレなオリジナル刺繍ができる、趣向興味の感性を高める技術に関するものである。
【背景技術】
【０００２】  現状は、トートバッグ等の完成品に、そのまま刺繍する事は不可能であった。また、刺繍をする対象の材質も限られている。
【考案が解決しようとする課題】
【０００３】  現在、刺繍すると云う概念では、丸い刺繍枠で布などを太鼓張りにして、刺繍する方法が一般的であった。しかし最近では、工業ミシンを使用して、刺繍型枠に布等の商材を挟み込んで、刺繍されている。しかし刺繍型枠に商材をセットする場合、主に金属上下型枠でプレス挟み工程となるので、上型刺繍枠と下型刺繍枠の精度が要求されていた。またトートバッグのような、製品の表面に直接に、刺繍するような、刺繍技術は無理であった。
これらの問題点を改善し、今までにない有効な本考案がなされたのである。
【課題を解決するための手段】
【０００４】  本考案は簡単構成で形成されている。以下解決手段を説明する。
まず、上枠板（１）の中央に図１のごとく、窓（３）を設ける。これは図２のごとく、ピーンと張った刺繍商材（５）を、ここに張り出す為である。さらにこの窓（３）の周囲に磁石（２）を固定して設ける。また、図１のごとく上枠板（１）の適当なる位置に、刺繍ミシンに正確に刺繍枠をセットするための、刺繍枠金具（４）を２箇所、固定して設ける。また一方、下枠板（６）を用意して、同じくその中央に窓（３）を設ける。さらにこの窓（３）の周囲にも、磁石（２）を固定して設ける。そして、この上枠板（１）と下枠板（６）は、お互い位置設定がなされて形成されているのでこの両者は正確にワンタッチで合わせられる。つまり該上枠と該下枠を近づけると磁石（２）のお互いの磁力で正確に強力に、密着する。この密着力を利用して、刺繍商材（５）を間に入れるだけで、強力に刺繍の窓（３）に張付ける事が出来る。この状態で刺繍ミシンに装着して設ける。また下枠板（６）を、上枠板（１）の上側や下側に、位置をずらして、刺繍商材（５）を磁石（２）で密着固定させる事も容易である。
本考案はこのような特徴よりなる、特殊刺繍枠である。
【考案の効果】
【０００５】  １．従来の刺繍枠に、挟みこめないもの（厚い生地）にも刺繍が出来る。
２．刺繍枠の跡が残らない（しわにならない）
３．刺繍しにくい端にも刺繍が出来る。
４．商材を下から挟み込むため、はみ出た商材が針に引っかかったりしない。
５．磁石で挟むため商材に影響が無い（両面テープのような糊残りが無い）
６．刺繍枠の対応幅に合わせて製作可能な為、誤刺繍が防げる。
７．透明のアクリル板、樹脂等を使用する事で、一目で位置を確認しやすい。
８．アクリル素材のため（樹脂含む）、様々な形の製品にローコストで対応出来る。
９．バッグ類のような立体商品にも、刺繍が出来る大きなメリットがあるので、自分だけのオリジナル刺繍を施した、トートバッグ等に変身する。だからそれを所持および使用していると云う、優越感や誇りが、良い形で自分の雰囲気を和らげてくれるので、人々の生活必需品としてだけでなく、精神的な安らぎを提供する効果がある。
【考案を実施するための最良の形態】
【０００６】  まず、上枠板（１）の中央に、窓（３）を設ける。つづいて窓（３）の周囲に、磁石（２）を固定して設ける。また刺繍ミシンに正確に刺繍枠を装着させるために上枠板（１）の、左右の適当なる位置に、刺繍枠金具（４）を設ける。またこの上枠板（１）とペアーで使用する、下枠板（６）を用意して、これの中央に、窓（３）を設け、この窓（３）の周囲にも磁石（２）を固定して設ける。
本考案は以上のような構成であり、これを使用実施するときには、【０００７】  図１のごとく、上枠板（１）と下枠板（６）の間に、刺繍商材（５）を置いて、該上枠と該下枠を接近させると、正確なる位置決めされながら強力な磁力で持って密着される。この時に刺繍商材（５）はピーンと張られ、図２のごとく、これを刺繍ミシンに刺繍金具（４）で装着して、ミシン刺繍針（７）で、オリジナル刺繍が成される。
また図３のごとく、トートバッグ等には、下枠板（６）を差込んで上枠板（１）をこの部分に接近させると、強力磁力で該下枠と該外枠がバッグの皮を挟んで密着する。
これを刺繍ミシンに装着して、刺繍する。最後は刺繍ミシンより刺繍枠金具（４）部分より取外して、該外枠と該下枠を外して、トートバック等の刺繍品が完成する。
それから、上枠板（１）に対して下枠板（６）を、刺繍のデザインやその寸法により、ずらして取付ける事も容易に行える。
【図面の簡単な説明】
【０００８】
【図１】  本考案の構成斜視図である。
【図２】  本考案の加工説明図である。
【図３】  本考案のバッグ等の加工説明図である。
【符号の説明】
【０００９】  １  上枠板
２  磁石
３  窓
４  刺繍枠金具
５  刺繍商材
６  下枠板
７  ミシン刺繍針
【図１】
0003205701.tif 000003
【図２】
0003205701.tif 000004
【図３】
0003205701.tif 000005
【手続補正書】
【提出日】平成28年5月27日(2016.5.27)
【手続補正１】
【補正対象書類名】明細書
【補正対象項目名】０００４
【補正方法】変更
【補正の内容】
【０００４】  本考案は簡単構成で形成されている。以下解決手段を説明する。
まず、上枠板（１）の中央に図１のごとく、窓（３）を設ける。これは図２のごとく、ピーンと張った刺繍商材（５）を、ここに張り出す為である。さらにこの窓（３）の周囲に磁石（２）を固定して設ける。また、図１のごとく上枠板（１）の適当なる位置に、刺繍ミシンに正確に刺繍枠をセットするための、刺繍枠金具（４）を２箇所、固定して設ける。また一方、下枠板（６）を用意して、同じくその中央に窓（３）を設ける。さらにこの窓（３）の周囲にも、磁石（２）を固定して設ける。そして、この上枠板（１）と下枠板（６）は、お互い位置設定がなされて形成されているのでこの両者は正確にワンタッチで合わせられる。つまり該上枠と該下枠を近づけると磁石（２）のお互いの磁力で正確に強力に、密着する。この密着力を利用して、刺繍商材（５）を間に入れるだけで、強力に刺繍の窓（３）に張付ける事が出来る。この状態で刺繍ミシンに装着して設ける。また上枠板（１）の磁石（２）を上枠板（１）の表面側に設け、下枠板（６）を上枠板（１）の表面側から密着させる構造にした場合、より商材の位置合わせが容易となり、厚みのある商材や、製品化された商材を縫うのに適した構造となる。
本考案はこのような特徴よりなる、特殊刺繍枠である。